(57)【要約】      （修正有）【課題】強度に優れると共に、雨などの降水に対する耐久性に優れた木製の椅子を提供する。【解決手段】本椅子は、木製の座板１０と、該座板１０の下面に固着された一対の金属製の脚部材固定具と、該脚部材固定具に挿着固定した一対の木製の脚部材５０とを備え、前記脚部材固定具は、座板１０の下面に接合された平板部と、該平板部の下部に接続し脚部材５０が挿着される筒部とを有する。前記筒部の内底部２５ａと脚部材５０の挿入側先端部５０ａとの間に、更に弾性部材７０を備え、該弾性部材７０の反発弾性力により座板１０の上下動を可能とした。座板１０は、複数の長尺板１１からなり、各々の長尺板１１は、前記平板部に固着されている。座板１０及び／又は脚部材５０は間伐材からなる。【選択図】図３
0003167324.tif 000002
【実用新案登録請求の範囲】
【請求項１】
木製の座板と、該座板の下面に固着された一対の金属製の脚部材固定具と、該脚部材固定具に挿着固定した一対の木製の脚部材と、を備える椅子において、
前記脚部材固定具は、前記座板の下面に接合された平板部と、該平板部の下部に接続し前記脚部材が挿着される筒部と、を有することを特徴とする椅子。
【請求項２】
前記筒部の内底部と前記脚部材の挿入側先端部との間に、更に弾性部材を備え、該弾性部材の反発弾性力により前記座板の上下動を可能とした請求項１に記載の椅子。
【請求項３】
前記座板は、複数の長尺板からなり、各々の長尺板は、前記平板部に固着されている請求項１又は２に記載の椅子。
【請求項４】
前記筒部は、前記平板部から互いに交差する方向に立設され、前記一対の木製の脚部材が、交差して形成された請求項１乃至３のうちのいずれか１項に記載の椅子。
【請求項５】
前記座板及び／又は前記脚部材は間伐材からなる請求項１乃至４のうちのいずれか１項に記載の椅子。
【考案の詳細な説明】
【技術分野】
【０００１】
本考案は、木製の椅子に関する。更に詳しくは、本考案は、強度に優れると共に、雨などの降水に対する耐久性に優れた木製の椅子に関する。
【背景技術】
【０００２】
従来、ベンチなどの椅子は、平板状の座板と、その座板の下部に、釘などの固着具で固定した脚部材とから構成される。
しかし、座板と脚部材の接続部分は、長期間の使用によって疲労し、劣化を招きやすい。特に、屋外で使用するベンチの場合には、雨などの降水により腐食が進み、更に早く劣化しやすい。
【０００３】
ここで、椅子に脚部材を強固に取り付けることができる脚の取付構造が提案されている（例えば、特許文献１参照。）。
この脚部材の取付構造は、座板の下部に取り付けられる軸部材と、軸部材のほぼ全体が挿入される挿入孔を有するとともに、軸部材の周囲を覆った状態で座板に取り付けられる脚部材とを備えている。
この脚部材の取付構造によれば、脚部材を座板に強固に取り付けることができるとともに、意匠的にも好ましい構成とすることができる。
【先行技術文献】
【特許文献】
【０００４】
【特許文献１】特開２００１−１６１４５０号公報
【考案の概要】
【考案が解決しようとする課題】
【０００５】
しかし、この脚部材の取付構造は、雨などの降水に対して、直接脚部材が晒されることになる。
本考案は、上記の従来の問題を解決するものであり、強度に優れると共に、雨などの降水に対する耐久性に優れた木製の椅子を提供することを目的とする。
【課題を解決するための手段】
【０００６】
本考案は、以下の通りである。
１．木製の座板と、該座板の下面に固着された一対の金属製の脚部材固定具と、該脚部材固定具に挿着固定した一対の木製の脚部材と、を備える椅子において、
前記脚部材固定具は、前記座板の下面に接合された平板部と、該平板部の下部に接続し前記脚部材が挿着される筒部と、を有することを特徴とする椅子。
２．前記筒部の内底部と前記脚部材の挿入側先端部との間に、更に弾性部材を備え、該弾性部材の反発弾性力により前記座板の上下動を可能とした１．に記載の椅子。
【０００７】
３．前記座板は、複数の長尺板からなり、各々の長尺板は、前記平板部に固着されている１．又は２.に記載の椅子。
４．前記筒部は、前記平板部から互いに交差する方向に立設され、前記一対の脚部材が、交差して形成された１.乃至３.のうちのいずれか１項に記載の椅子。
５．前記座板及び／又は前記脚部材は間伐材からなる１．乃至４.のうちのいずれか１項に記載の椅子。
【考案の効果】
【０００８】
１．本考案は、木製の座板と、該座板の下面に固着された一対の金属製の脚部材固定具と、該脚部材固定具に挿着固定した一対の木製の脚部材と、を備える椅子において、
前記脚部材固定具は、前記座板の下面に接合された平板部と、該平板部の下部に接続し前記脚部材が挿着される筒部と、を有するため、強度に優れると共に、雨などの降水に対する耐久性に優れる。
２．また、筒部の内底部と脚部材の挿入側先端部との間に、更に弾性部材を備える場合には、弾性部材の反発弾性力により前記座板の上下動を可能とするため、クッションの効果を有し、老人等の身体的な弱者に対して快適な座り心地を提供することができる。
【０００９】
３．更に、座板が、複数の長尺板からなり、各々の長尺板が平板部に固着されている場合には、端材を寄せ集めることにより、座板を形成することができ、コスト的に有用である。
４．また、筒部が、平板部から互いに交差する方向に立設され、一対の脚部材が、交差して形成されている場合には、椅子全体として強度に優れ、より安定感を維持することができる。
５．更に、座板及び／又は脚部材が間伐材からなる場合には、環境保護の観点から優れたものとなる。
【図面の簡単な説明】
【００１０】
【図１】本考案の第１実施形態に係る椅子の外観を示す斜視図である。
【図２】本考案の第１実施形態に係る椅子の裏面から見た構造の要部を示す斜視図である。
【図３】本考案の第１実施形態に係る椅子の裏面から見た分解斜視図である。
【図４】図１のＡ−Ａ断面図である。
【図５】本考案の第２実施形態に係る椅子の外観を示す斜視図である。
【図６】本考案の第２実施形態に係る椅子の裏面から見た構造の要部を示す斜視図である。
【図７】本考案の第２実施形態に係る椅子の裏面から見た分解斜視図である。
【図８】図５のＢ―Ｂ断面図である。
【考案を実施するための形態】
【００１１】
以下、本考案の実施形態を示す図１〜８を参照しながら本考案を詳しく説明する。
尚、本考案は、かかる図に記載された具体例に示すものに限られず、目的、用途に応じて種々変更したものとすることができる。
【００１２】
［１］第１実施形態
第１実施形態に係る椅子１は、本考案を具体化した一例である。
椅子１は、図１に示すように、座板１０と、座板１０の下面に固着された一対の金属製の脚部材固定具２０と、脚部材固定具２０各々に挿着固定した一対の脚部材５０と、からなる。
脚部材固定具２０は、図２に示すように、座板１０の下面に接合された平板部２１と、平板部２１の下部に接続し脚部材５０が挿着される筒部２５と、を有する。
【００１３】
前記「座板１０」は、椅子１において着座するための木製の部材である。木製であれば、特に限定されず、例えば、杉、桧などが例示される。更に、これらの間伐材を用いることもできる。間伐材であれば、環境保護の観点から優れたものとなる。
座板１０は、１枚の板から形成されてもよいが、図１に示すように、複数の長尺板１１からなることが好ましい。複数の長尺板を使用することで、端材を有効利用することができ、コスト的にも、環境保護の面からも好ましい。
【００１４】
前記「脚部材固定具２０」は、座板１０の下面に接合された平板部２１と、平板部２１の下部に接続し脚部材５０が挿着される筒部２５とを有し、金属製である。
脚部材固定具２０は、金属製であることにより、座板１０に脚部材５０を強固に固定することができる。金属製であれば、その種類に限定はないが、鉄であれば強度に優れ、加工性もよいため、好適に用いることができる。
また、脚部材固定具２０は、平板部２１とそれに接続する筒部２５とからなることにより、強度的に優れると共に、脚部材５０の挿入側先端部５０ａを、雨等の降水から効果的に保護することができる。
平板部２１と筒部２５とは、一体に形成されていてもよいが、それぞれ別個に作成し、例えば溶接により接続することができる。
筒部２５は、筒状であって、脚部材２５が挿入できれば特に限定はなく、脚部材の形状に適合するように、円筒状、角筒状とすることができる。
【００１５】
脚部材固定具２０は、座板１０の下面に接合されており、その接合方法は特に限定はないが、図３に示すように、平板部２１に貫設した孔部２１ｈを介して木螺子８１により
座板１０に穴１１ｈを穿設して固着することができる。
【００１６】
前記「脚部材５０」は、座板１０を支持する木製の部材であり、脚部材固定具２０に挿着固定されている。
脚部材の固定方法は、特に限定はないが、例えば、筒部２５の側部に孔を貫設し、木螺子８５により、脚部材５０に穴５０ｈを穿設して固着することができる。
【００１７】
図３に示すように、筒部２５の内底部２５ａと脚部材５０の挿入側先端部５０ａとの間に、更に弾性部材７０を備えることができる。こうすることで、弾性部材の反発弾性力により座板の上下動を可能とするため、クッションの効果を有し、老人等の身体的な弱者に対して快適な座り心地を提供することができる。
弾性部材は、反発弾性力を生じさせる部材であれば特に限定はなく、バネ、ゴム、その他の反発材を用いることができる。
【００１８】
弾性部材７０を備えた場合、図３に示すように、筒部２５の側面に長穴２５ｈを貫設し、脚部材５０に穴５０ｈを穿設して固着した木螺子８５が、長穴２５ｈ内で、上下に自在に可動する。こうすることにより、座板１０の上下動が可能となる。
【００１９】
［２］第２実施形態
第２実施形態に係る椅子２は、本考案を具体化した他の例である。
椅子２は、図５に示すように、座板１０と、座板１０の下面に固着された一対の金属製の脚部材固定具３０と、脚部材固定具３０に挿着固定した一対の脚部材６０と、からなる。
脚部材固定具３０は、図６に示すように、座板１０の下面に接合された平板部３１と、平板部３１の下部に接続し脚部材６０が挿着される筒部３５と、を有する。
【００２０】
前記「脚部材固定具３０」は、座板１０の下面に接合された平板部２１と、平板部２１の下部に接続し脚部材６０が挿着される筒部３５とを有し、金属製である。
「脚部材固定具３０」は、金属製であることにより、座板１０に脚部材６０を強固に固定することができる。金属製であれば、その種類に限定はないが、鉄であれば強度に優れ、加工性もよいため、好適に用いることができる。
【００２１】
また、脚部材固定具３０は、脚部材固定具２０と同様、平板部とそれに接続する筒部とからなることにより、脚部材６０の挿入側先端部５０ａを雨等の降水から保護することができる。
【００２２】
更に、脚部材固定具３０は、筒部３５が互いに椅子２の本体内部方向に向いていることにより、外部からの降水に対してより効果的に、脚部材の挿入側先端部６０ａを保護することができる。
【００２３】
脚部材固定具３０は、座板１０の下面に接合されており、その接合方法は特に限定はないが、図７に示すように、平板部３１に貫設した孔部３１ｈを介して木螺子８１により
長尺板１１に穴１１ｈを穿設して固着することができる。
平板部３１と筒部３５とは、一体に形成されていてもよいが、それぞれ別個に作成し、例えば溶接により接続することができる。
「筒部３５」については、椅子１の筒部２５と同様であるため、その説明を省略する。
【００２４】
「脚部材６０」は、座板１０を支持する木製の部材であり、脚部材固定具３０に挿着固定されている。脚部材６０は、角柱状であるが、座板１０を支えることができれば特に限定はなく、円柱状その他の形状とすることもできる。
脚部材６０は交差するようにして、挿入されるため、交差する箇所を例えば、ボルト９０及びナット９１のような固着具で固定すれば、筒部３５の傾斜面３５ｂによって脚部材６０が支持されるため、筒部３５から脚部材６０が脱落することはない（図８参照）。
そのため、脚部材６０を筒部３５に固定するための固着具を必要としない利点がある。
【００２５】
椅子２に着座した場合、座板１０を介して、脚部材６０、６０に負荷がかかる。そうすると、脚部材６０、６０が互いに開脚する方向に力が加わり、より安定的に、荷重を支えることができる。そして、他方の脚部材固定具３０も同様に、安定的に、荷重を支えることができるため、椅子全体として脚部材６０のガタつきがなくなる。
【００２６】
椅子２においても、図示しないが、椅子１と同様、筒部３５の内底部２５ａと脚部材６０の挿入側先端部６０ａとの間に、更に弾性部材を備えることができる。その作用効果については、椅子１と同様であるため、その説明を省略する。
なお、弾性部材を備えた場合、筒部３５から脚部材６０が脱落することはないため、椅子１のような長穴を設ける必要はない。
「座板１０」については、椅子１の座板１０と同様であるため、その説明を省略する。
【産業上の利用可能性】
【００２７】
本考案に係る椅子は、木製品の技術分野、特に屋外で使用する木製品の技術分野において有用である。また、間伐材の有効利用という点で、環境保護に関する技術分野においても有用である。
【符号の説明】
【００２８】
１、２  椅子
１０  座板
１１  長尺板
２０、３０  脚部材固定具
２１、３１  平板部
２５、３５  筒部
２５ａ、３５ａ  内底部
５０、６０  脚部材
５０ａ、６０ａ  挿入側先端部
７０  弾性部材
【図１】
0003167324.tif 000003
【図２】
0003167324.tif 000004
【図３】
0003167324.tif 000005
【図４】
0003167324.tif 000006
【図５】
0003167324.tif 000007
【図６】
0003167324.tif 000008
【図７】
0003167324.tif 000009
【図８】
0003167324.tif 000010